(57)【特許請求の範囲】
【請求項１】
穿孔により形成した穿孔群を有する第１の層と、光透過性を有する第２の層と、穿孔により形成した穿孔群からなる潜像画像を有する第３の層からなる、前記第３の層に有する前記潜像画像を形成する前記穿孔群の個々の穿孔位置は、前記第１の層に有する前記穿孔群の個々の穿孔位置に対応して配置されるように、順次積層してなる真偽判別可能な積層体であって、
前記第３の層に有する前記潜像画像を形成する前記穿孔群の個々の穿孔位置は、前記第１の層に有する前記穿孔群の個々の穿孔位置を基準とし、前記基準から特定方向及び特定距離だけずれて配置されていることを特徴とする真偽判別可能な積層体。
【請求項２】
穿孔により形成した穿孔群を有する第１の層と、光透過性を有する第２の層と、穿孔により形成した穿孔群からなる少なくとも二つの潜像画像を有する第３の層からなる、前記第３の層に有する前記少なくとも二つの潜像画像を形成する前記穿孔群の個々の穿孔位置は、前記第１の層に有する前記穿孔群の個々の穿孔位置に対応して配置されるように、順次積層してなる真偽判別可能な積層体であって、
前記第３の層に有する前記少なくとも二つの潜像画像を形成する前記穿孔群の個々の穿孔位置は、前記第１の層に有する前記穿孔群の個々の穿孔位置を基準とし、前記基準から特定方向及び特定距離だけずれて配置され、且つ、前記特定方向はそれぞれの潜像画像毎に異なる方向であることを特徴とする真偽判別可能な積層体。
【請求項３】
穿孔により形成した穿孔群を有する第１の層と、光透過性を有する第２の層と、穿孔により形成した穿孔群からなる少なくとも二つの潜像画像を有する第３の層からなる、前記第３の層に有する前記少なくとも二つの潜像画像を形成する前記穿孔群の個々の穿孔位置は、前記第１の層に有する前記穿孔群の個々の穿孔位置に対応して配置されるように、順次積層してなる真偽判別可能な積層体であって、
前記第３の層に有する前記少なくとも二つの潜像画像のうち、第１の潜像画像を形成する前記穿孔群の個々の穿孔位置は、前記第１の層に有する前記穿孔群の個々の穿孔位置と重なって規則的に配置され、前記第３の層に有する前記第１の潜像画像以外の少なくとも一つの潜像画像を形成する前記穿孔群の個々の穿孔位置は、前記第１の層に有する前記穿孔群の個々の穿孔位置を基準とし、前記基準から特定方向及び特定距離だけずれて配置され、且つ、前記特定方向はそれぞれの潜像画像毎に異なる方向であることを特徴とする真偽判別可能な積層体。
【請求項４】
穿孔により形成した穿孔群を有する第１の層と、光透過性を有する第２の層と、穿孔により形成した一対の穿孔群からなる少なくとも一つの潜像画像を有する第３の層からなる、前記第３の層に有する前記少なくとも一つの潜像画像を形成する前記一対の穿孔群の個々の穿孔位置は、前記第１の層に有する前記穿孔群の個々の穿孔位置に対応して配置されるように、順次積層してなる真偽判別可能な積層体であって、
前記第３の層に有する前記少なくとも一つの潜像画像を形成する前記一対の穿孔群の一方の穿孔群の個々の穿孔位置は、前記第１の層に有する前記穿孔群の個々の穿孔位置を基準として特定方向に配置され、且つ、前記一対の穿孔群の他方の穿孔群の個々の穿孔位置は、前記第１の層に有する前記穿孔群の個々の穿孔位置を基準として前記一方の穿孔群とは異なる方向で特定方向に配置され、更に、前記一対の穿孔群の個々の穿孔は、前記第１の層に有する穿孔群をパララックスバリアとする位置に配置されたことを特徴とする真偽判別可能な積層体。
【請求項５】
穿孔により形成した穿孔群を有する第１の層と、光透過性を有する第２の層と、穿孔により形成した穿孔群からなる少なくとも二つの潜像画像を有する第３の層からなる、前記第３の層に有する前記少なくとも二つの潜像画像を形成する前記穿孔群の個々の穿孔位置は、前記第１の層に有する前記穿孔群の個々の穿孔位置に対応して配置されるように、順次積層してなる真偽判別可能な積層体であって、
前記第３の層に有する前記少なくとも二つの潜像画像のうち、第１の潜像画像を形成する前記穿孔群の個々の穿孔位置は、前記第１の層に有する前記穿孔群の個々の穿孔位置を基準とし、前記基準から特定方向及び特定距離だけずれて配置され、前記第３の層に有する前記少なくとも二つの潜像画像のうち、前記第１の潜像画像以外の少なくとも一つの潜像画像を形成する前記穿孔群の個々の穿孔位置は、前記第１の層に有する前記穿孔群の個々の穿孔位置を基準とし、前記基準から特定方向及び特定距離だけずれて配置され、且つ、第１の潜像画像を形成する個々の穿孔位置と同一の特定方向及び異なる特定距離だけずれて配置されていることを特徴とする真偽判別可能な積層体。
【請求項６】
穿孔により形成した穿孔群を有する第１の層と、光透過性を有する第２の層と、穿孔により形成した穿孔群からなる少なくとも三つの潜像画像を有する第３の層からなる、前記第３の層に有する前記少なくとも三つの潜像画像を形成する前記穿孔群の個々の穿孔位置は、前記第１の層に有する前記穿孔群の個々の穿孔位置に対応して配置されるように、順次積層してなる真偽判別可能な積層体であって、
前記第３の層に有する前記少なくとも三つの潜像画像のうち、第１の潜像画像を形成する前記穿孔群の個々の穿孔位置は、前記第１の層に有する前記穿孔群の個々の穿孔位置と重なって配置され、前記第３の層に有する前記少なくとも三つの潜像画像のうち、第２の潜像画像を形成する前記穿孔群の個々の穿孔位置は、前記第１の層に有する前記穿孔群の個々の穿孔位置を基準とし、前記基準から特定方向及び特定距離だけずれて配置され、前記第３の層に有する前記少なくとも三つの潜像画像のうち、前記第１及び前記第２の潜像以外の少なくとも一つの潜像画像を形成する前記穿孔群の個々の穿孔位置は、前記第１の層に有する前記穿孔群の個々の穿孔位置を基準とし、前記基準から特定方向及び特定距離だけずれて配置され、且つ、第２の潜像画像を形成する個々の穿孔位置と同一の特定方向及び潜像画像毎に異なる特定距離だけずれて配置されていることを特徴とする真偽判別可能な積層体。
【発明の詳細な説明】
【０００１】
【発明の属する技術分野】
本発明は、銀行券、パスポート、有価証券、カード、印紙類等の偽造防止、改竄防止が必要とされる貴重印刷物に適用する真偽判別可能な積層体に関するものである。
【０００２】
【従来の技術】
銀行券、パスポート、有価証券、カード、印紙類等の貴重印刷物は、その性質上、偽造、変造されにくいことが要求される。この防止策として、これらの貴重印刷物の基材に、複数の穿孔で数字等を形成することは知られている。また、複数の穿孔を有する基材を傾けて観察することにより潜像画像を視認できるようにして真偽判別を行う技術も知られている。
【０００３】
前者は、スイスの銀行券に用いられており、数字を穿孔によって表現している。また、孔の直径は、反射状態においては裸眼でそれらのなすパターンが見えない点に特徴を有する、 安全マークが、透過状態においては見える文書面のパターンを形成する複数個の孔からなる、偽造を防止するための安全マークを備える安全保管文書が開示されている（例えば、特許文献１参照）。
【０００４】
【特許文献１】
特表２０００−５０１０３６号公報（第２頁、第１−２図）
【０００５】
後者は、基材を有し、該基材に形成され、背景部と特定のパターンから成る情報部とを形成する目視しにくい多数の微細な穿孔を有する真偽判別形成体であって、上記背景部を形成する穿孔と上記情報部を形成する穿孔とは、穿孔の形状、寸法及び配列方向の少なくとも一つ以上が異なるように形成されていることを特徴とする真偽判別形成体が開示されている（例えば、特許文献２参照）。
【０００６】
【特許文献２】
特開２０００−２３３５６１号公報（第２頁、第１−２図）
【０００７】
また、特定のパターンで配列されて情報を付与する多数の微細穿孔が形成されたカード基材を有する微細穿孔カードであって、上記微細穿孔は、レーザ加工機により、上記カード基材に対して特定の傾斜角度で貫通して形成された穿孔であり、上記微細穿孔カードの一面側から光を上記微細穿孔カードに対して上記特定の傾斜角度と同じ角度で投光して、上記微細な穿孔を透過させることにより、上記情報がチェックされる構成であることを特徴とする微細穿孔カードが開示されている（例えば、特許文献３参照）。
【０００８】
【特許文献３】
特開２００２−１６０４７７号公報（第２頁、第１図）
【０００９】
また、異なった角度で貫通した穿孔で画像を形成することによって両眼視差によって画像が立体的に視認されることが考えられる。
【００１０】
【発明が解決しようとする課題】
上記の従来技術は総じて、単層の基材に穿孔によって数字等を形成するものや、単層の基材に一部の穿孔の形状を異ならせるもの又は一部の穿孔を基材に対して斜め開けて、透過光で傾けて観察した場合に潜像画像が視認されるものであった。特表２０００−５０１０３６号公報は、穿孔によって数字等を形成しているだけであって、偽造防止技術としては単純で改良の余地があった。また、特開２０００−２３３５６１号公報は、情報部と背景部を組み合わせることで、穿孔群の中に情報部を隠し入れる構成であるため、基材を透過光で傾けて観察したときに傾ける角度を深めなければ潜像画像が明瞭に出現されない恐れがあり、複数の潜像画像を形成することは困難であった。
また、特開２００２−１６０４７７号公報は、基材に複数の穿孔からなる穿孔群を設け、穿孔群の一部の穿孔を基材に対して斜めに開けて潜像画像を構成し、基材を透過光で観察することにより潜像画像を視認できるものであり、レーザを垂直に照射し、且つ、基材を水平方向に自動搬送するような大量生産ラインを構成することは容易であるが、基材に斜め穿孔を形成することは、加工機の構成が複雑となり、作製上困難であった。また、異なった角度で貫通した穿孔で画像を形成することによって両眼視差によって画像が立体的に視認されることが考えられるが、異なった角度で貫通した穿孔だけの構成では、鮮明な立体画像を得ることができなかった。
【００１１】
以上のことから、本発明は前述した問題点を解決することを目的としたもので、３層に積層した積層体の第２の層に光透過性を有する基材を用いて、第１の層及び第３の層に穿孔によって画像を形成し、第１の層に形成した穿孔と第３の層に形成した穿孔が規則性を持たせて配置された積層体は、透過光で観察した場合に明瞭な潜像画像の出現、多方向から異なる複数の潜像画像の出現、鮮明な立体的な潜像画像の出現、動画要素のある潜像画像の出現されることを見出した。よって、本発明は真偽判別効果の高い、改ざん、複製防止効果のある真偽判別可能な積層体を提案するものである。
【００１２】
【課題を解決するための手段】
本発明は、２次元に配列された穿孔により形成した穿孔群からなる画像を有する第１の層と、光透過性を有する第２の層と、２次元に配列された穿孔により形成した穿孔群からなる潜像画像を有する第３の層からなる、前記第３の層に有する前記潜像画像を形成する前記穿孔群の個々の穿孔位置は、前記第１の層に有する画像を形成する前記穿孔群の個々の穿孔位置に対応して配置されるように、順次積層してなることを特徴とする真偽判別可能な積層体である。
【００１３】
また、本発明は、２次元に配列された穿孔により形成した穿孔群からなる画像を有する第１の層と、光透過性を有する第２の層と、２次元に配列された穿孔により形成した穿孔群からなる潜像画像を有する第３の層からなる、前記第３の層に有する前記潜像画像を形成する前記穿孔群の個々の穿孔位置は、前記第１の層に有する画像を形成する前記穿孔群の個々の穿孔位置に対応して配置されるように、順次積層してなる真偽判別可能な積層体であって、前記第３の層に有する前記潜像画像を形成する前記穿孔群の個々の穿孔位置は、前記第１の層に有する画像を形成する前記穿孔群の個々の穿孔位置と重なって配置されていることを特徴とし、前記真偽判別可能な積層体を反射光で観察した場合に、前記第１の層に設けた画像のみが確認でき、前記真偽判別可能な積層体を基材に対して垂直方向から透過光で観察した場合に、前記第１の層に設けた画像内に前記第３の層に設けた潜像画像が確認されることを特徴とする真偽判別可能な積層体である。
【００１４】
また、本発明は、２次元に配列された穿孔により形成した穿孔群からなる画像を有する第１の層と、光透過性を有する第２の層と、２次元に配列された穿孔により形成した穿孔群からなる潜像画像を有する第３の層からなる、前記第３の層に有する前記潜像画像を形成する前記穿孔群の個々の穿孔位置は、前記第１の層に有する画像を形成する前記穿孔群の個々の穿孔位置に対応して配置されるように、順次積層してなる真偽判別可能な積層体であって、前記第３の層に有する前記潜像画像を形成する前記穿孔群の個々の穿孔位置は、前記第１の層に有する画像を形成する前記穿孔群の個々の穿孔位置を基準とし、前記基準から特定方向及び特定距離だけずれて配置されていることを特徴とし、前記真偽判別可能な積層体を反射光または、前記真偽判別可能な積層体の表面に対して垂直方向から透過光で観察した場合に、前記第１の層に設けた画像のみが確認でき、前記真偽判別可能な積層体の表面に対して垂直方向から傾けて透過光で観察した場合に、前記第１の層に設けた画像内に前記第３の層に設けた潜像画像が確認されることを特徴とする真偽判別可能な積層体である。
【００１５】
また、本発明は、２次元に配列された穿孔により形成した穿孔群からなる画像を有する第１の層と、光透過性を有する第２の層と、２次元に配列された穿孔により形成した穿孔群からなる少なくとも二つの潜像画像を有する第３の層からなる、前記第３の層に有する前記少なくとも二つの潜像画像を形成する前記穿孔群の個々の穿孔位置は、前記第１の層に有する画像を形成する前記穿孔群の個々の穿孔位置に対応して配置されるように、順次積層してなる真偽判別可能な積層体であって、前記第３の層に有する前記少なくとも二つの潜像画像を形成する前記穿孔群の個々の穿孔位置は、前記第１の層に有する画像を形成する前記穿孔群の個々の穿孔位置を基準とし、前記基準から特定方向及び特定距離だけずれて配置され、且つ、前記特定方向はそれぞれの潜像画像毎に異なる方向であることを特徴とし、前記真偽判別可能な積層体を反射光または、前記真偽判別可能な積層体の表面に対して垂直方向から透過光で観察した場合に、前記第１の層に設けた画像のみが確認でき、前記真偽判別可能な積層体の表面に対して垂直方向から異なる方向に傾けて透過光で観察した場合に、前記第１の層に設けた画像内に前記第３の層に設けた少なくとも二つの潜像画像が確認されることを特徴とする真偽判別可能な積層体である。
【００１６】
また、本発明は、２次元に配列された穿孔により形成した穿孔群からなる画像を有する第１の層と、光透過性を有する第２の層と、２次元に配列された穿孔により形成した穿孔群からなる少なくとも二つの潜像画像を有する第３の層を設け、前記第３の層に有する前記少なくとも二つの潜像画像を形成する前記穿孔群の個々の穿孔位置は、前記第１の層に有する画像を形成する前記穿孔群の個々の穿孔位置に対応して配置されるように、順次積層してなる真偽判別可能な積層体であって、前記第３の層に有する前記少なくとも二つの潜像画像のうち、第１の潜像画像を形成する前記穿孔群の個々の穿孔位置は、前記第１の層に有する画像を形成する前記穿孔群の個々の穿孔位置と重なって規則的に配置され、前記第３の層に有する前記第１の潜像画像以外の少なくとも一つの潜像画像を形成する前記穿孔群の個々の穿孔位置は、前記第１の層に有する画像を形成する前記穿孔群の個々の穿孔位置を基準とし、前記基準から特定方向及び特定距離だけずれて配置され、且つ、前記特定方向はそれぞれの潜像画像毎に異なる方向であることを特徴とし、前記真偽判別可能な積層体を反射光で観察した場合に、前記第１の層に設けた画像のみが確認でき、前記真偽判別可能な積層体の表面に対して垂直方向から透過光で観察した場合に、前記第１の層に設けた画像内に前記第３の層に設けた第１の潜像画像が確認でき、前記真偽判別可能な積層体の表面に対して垂直方向から異なる方向に傾けて透過光で観察した場合に、前記第１の層に設けた画像内に前記第３の層に設けた前記第１の潜像画像以外の少なくとも一つの潜像画像が確認されることを特徴とする真偽判別可能な積層体である。
【００１７】
また、本発明は、２次元に配列された穿孔により形成した穿孔群からなる画像を有する第１の層と、光透過性を有する第２の層と、２次元に配列された穿孔により形成した一対の穿孔群からなる少なくとも一つの潜像画像を有する第３の層を設け、前記第３の層に有する前記少なくとも一つの潜像画像を形成する前記一対の穿孔群の個々の穿孔位置は、前記第１の層に有する画像を形成する前記穿孔群の個々の穿孔位置に対応して配置されるように、順次積層してなる真偽判別可能な積層体であって、前記第３の層に有する前記少なくとも一つの潜像画像を形成する前記一対の穿孔群の一方の穿孔群の個々の穿孔位置は、前記第１の層に有する画像を形成する前記穿孔群の個々の穿孔位置を基準として特定方向に配置され、且つ、前記一対の穿孔群の他方の穿孔群の個々の穿孔位置は、前記第１の層に有する画像を形成する前記穿孔群の個々の穿孔位置を基準として前記一方の穿孔群とは異なる方向で特定方向に配置され、更に、前記一対の穿孔群の個々の穿孔は、前記第１の層に有する画像を形成する穿孔群をパララックスバリアとする位置に配置されたことを特徴とし、前記真偽判別可能な積層体を反射光で観察した場合に、前記第１の層に設けた画像のみが確認でき、前記真偽判別可能な積層体の表面に対して垂直方向から透過光で観察した場合に、前記第１の層に設けた画像内に前記第３の層に設けた少なくとも一つの潜像画像が立体的に確認されることを特徴とする真偽判別可能な積層体である。
【００１８】
また、本発明は、２次元に配列された穿孔により形成した穿孔群からなる画像を有する第１の層と、光透過性を有する第２の層と、２次元に配列された穿孔により形成した穿孔群からなる少なくとも二つの潜像画像を有する第３の層を設け、前記第３の層に有する前記少なくとも二つの潜像画像を形成する前記穿孔群の個々の穿孔位置は、前記第１の層に有する画像を形成する前記穿孔群の個々の穿孔位置に対応して配置されるように、順次積層してなる真偽判別可能な積層体であって、前記第３の層に有する前記少なくとも二つの潜像画像のうち、第１の潜像画像を形成する前記穿孔群の個々の穿孔位置は、前記第１の層に有する画像を形成する前記穿孔群の個々の穿孔位置を基準とし、前記基準から特定方向及び特定距離だけずれて配置され、前記第３の層に有する前記少なくとも二つの潜像画像のうち、前記第１の潜像画像以外の少なくとも一つの潜像画像を形成する前記穿孔群の個々の穿孔位置は、前記第１の層に有する画像を形成する前記穿孔群の個々の穿孔位置を基準とし、前記基準から特定方向及び特定距離だけずれて配置され、且つ、第１の潜像画像を形成する個々の穿孔位置と同一の特定方向及び異なる特定距離だけずれて配置されていることを特徴とし、前記真偽判別可能な積層体を反射光または、前記真偽判別可能な積層体の表面に対して垂直方向から透過光で観察した場合に、前記第１の層に設けた画像のみが確認でき、前記真偽判別可能な積層体を基材に対して垂直方向から傾けて透過光で観察した場合に、前記第１の層に設けた画像内に前記第３の層に設けた少なくとも二つの潜像画像が順次確認されることを特徴とする真偽判別可能な積層体である。
【００１９】
また、本発明は、２次元に配列された穿孔により形成した穿孔群からなる画像を有する第１の層と、光透過性を有する第２の層と、２次元に配列された穿孔により形成した穿孔群からなる少なくとも三つの潜像画像を有する第３の層を設け、前記第３の層に有する前記少なくとも三つの潜像画像を形成する前記穿孔群の個々の穿孔位置は、前記第１の層に有する画像を形成する前記穿孔群の個々の穿孔位置に対応して配置されるように、順次積層してなる真偽判別可能な積層体であって、前記第３の層に有する前記少なくとも三つの潜像画像のうち、第１の潜像画像を形成する前記穿孔群の個々の穿孔位置は、前記第１の層に有する画像を形成する前記穿孔群の個々の穿孔位置と重なって配置され、前記第３の層に有する前記少なくとも三つの潜像画像のうち、第２の潜像画像を形成する前記穿孔群の個々の穿孔位置は、前記第１の層に有する画像を形成する前記穿孔群の個々の穿孔位置を基準とし、前記基準から特定方向及び特定距離だけずれて配置され、前記第３の層に有する前記少なくとも三つの潜像画像のうち、前記第１及び前記第２の潜像以外の少なくとも一つの潜像画像を形成する前記穿孔群の個々の穿孔位置は、前記第１の層に有する画像を形成する前記穿孔群の個々の穿孔位置を基準とし、前記基準から特定方向及び特定距離だけずれて配置され、且つ、第２の潜像画像を形成する個々の穿孔位置と同一の特定方向及び潜像画像毎に異なる特定距離だけずれて配置されていることを特徴とし、前記真偽判別可能な積層体を反射光で観察した場合に、前記第１の層に設けた画像のみが確認でき、前記真偽判別可能な積層体の表面に対して垂直方向から透過光で観察した場合に、前記第１の層に設けた画像内に前記第３の層に設けた第１の潜像画像が確認でき、前記真偽判別可能な積層体の表面に対して垂直方向から傾けて透過光で観察した場合に、前記第１の層に設けた画像内に前記第３の層に設けた第１の潜像画像以外の潜像画像が確認されることを特徴とする真偽判別可能な積層体である。
【００２０】
また、本発明は、前記画像を構成する穿孔及び前記潜像画像を構成する穿孔が前記真偽判別可能な積層体の表面に対して直角及び特定の角度で斜めの形状の少なくとも一つで形成されたことを特徴とする真偽判別可能な積層体である。
【００２１】
また、本発明は、前記画像を構成する穿孔及び前記潜像画像を構成する穿孔が、それぞれが等しいピッチで配置されたことを特徴とする真偽判別可能な積層体である。
【００２２】
また、本発明は、前記画像を構成する穿孔及び前記潜像画像を構成する穿孔の径が５０μｍ〜１０００μｍであることを特徴とする真偽判別可能な積層体である。本発明の穿孔の粗密、大きさ及び配置の少なくとも一つで潜像画像又は／及び画像を形成することによって潜像画像又は／及び画像に階調を付与することができる。
【００２３】
また、本発明は、前記画像を構成する穿孔及び前記潜像画像を構成する穿孔の形状が円形状、多角形及び特殊な形状の少なくとも１つであることを特徴とする真偽判別可能な積層体である。
【００２４】
また、本発明は、前記画像及び前記潜像画像を形成する穿孔が、深さ方向に伴って、穿孔の径が小さくなる形状で形成されることを特徴とする真偽判別可能な積層体である。
【００２５】
また、本発明は、前記画像及び前記潜像画像が、文字、数字、記号及び絵柄の少なくとも１つであることを特徴とする真偽判別可能な積層体である。
【００２６】
また、本発明は、前記光透過性を有する第２の層が無色であることを特徴とする真偽判別可能な積層体である。
【００２７】
また、本発明は、前記光透過性を有する第２の層が有色であることを特徴とする真偽判別可能な積層体である。
【００２８】
また、本発明は、前記光透過性を有する第２の層が複数の色で構成されていることを特徴とする真偽判別可能な積層体である。
【００２９】
また、本発明は、前記光透過性を有する第２の層が紫外線により発光することを特徴とする真偽判別可能な積層体である。
【００３０】
また、本発明は、前記第１の層と前記第２の層、及び第３の層が順次、接着層によって積層されたことを特徴とする真偽判別可能な積層体である。
【００３１】
また、本発明は、前記第３の層に２次元に配列された穿孔により形成した穿孔群からなる潜像画像をカモフラージュするための穿孔を設けたことを特徴とする真偽判別可能な積層体である。
【００３２】
上記記載の特定方向、特定距離についての説明図を図４９に示す。ここで言う、特定方向とは穿孔（３ａ）に対して穿孔（３ｃ）が形成される方向のことである。特定距離とは穿孔（３ａ）に対して穿孔（３ｃ）が形成される距離のことである。
【００３３】
【発明の実施の形態】
本発明に係る真偽判別可能な積層体の実施の形態を基づいて図面を参照して説明する。本発明の真偽判別可能な積層体の特徴は、透明なシート状の基材の両面に微細な穿孔を有する紙等のシート状の基材を積層し、透明なシートの両面に積層する基材の穿孔は同じ位置もしくはわずかにずらして積層するため、特定の観察方向からは特定の穿孔のみが観察可能とするものである。
【００３４】
図１乃至図１７に本発明の基本原理を示す。図１に第１の層の基材（１ａ）に画像（２ａ）を穿孔（３ａ）により形成した図を示す。図１に示した穿孔（３ａ）は二次元の縦横を等しいピッチで形成しているが本発明は穿孔（３ａ）をランダムにして画像（２ａ）を形成しても良い。図２は、第１の層の基材（１ａ）と後述する第３の層の基材（１ｃ）の中間層となる第２の層の基材（１ｂ）を示す。第２の層の基材（１ｂ）は光透過性を有する基材である必要がある。図３に第３の層の基材（１ｃ）に潜像画像（２ｃ）を穿孔（３ｃ）により形成した図を示す。図４に示すように、第１の層の基材（１ａ）、第２の層の基材（１ｂ）、第３の層の基材（１ｃ）を順次、接着剤を用いて接着層（４）を形成して積層し、真偽判別可能な積層体（５ａ）とする。図４に示した真偽判別可能な積層体（５ａ）のＸ−Ｘ’断面図を図５に示す。図５に示すように第１の層の基材（１ａ）の下部に積層された第３の層の基材（１ｃ）に形成した穿孔（３ｃ）が、第１の層の基材（１ａ）に形成した穿孔（３ａ）に一部又は全部が重なるように配置される必要がある。
【００３５】
図６は、真偽判別可能な積層体（５ａ）を反射光で観察した場合の図を示す。図６に示すように第１の層の基材（１ａ）に設けた画像（２ａ）のみが視認でき、図５に示した第１の層の基材（１ａ）に設けた画像（２ａ）を形成した穿孔（３ａ）と重なり合っている第３の層の基材（１ｃ）に設けた潜像画像（２ｃ）を形成した穿孔（３ｃ）は微細な穿孔で形成されているため、画像（２ａ）を形成した穿孔（３ａ）を通して観察される潜像画像（２ｃ）の反射光が非常に少ないため、観察者は第１の層の基材（１ａ）の表面と穿孔（３ａ）とのコントラスト差のみを認識してしまうため、第３の層の基材（１ｃ）に形成した潜像画像（２ｃ）を視認することができない。
【００３６】
図７は、真偽判別可能な積層体（５ａ）に対して垂直方向から透過光で観察した場合の図を示す。図７に示すように第１の層の基材（１ａ）に設けた画像（２ａ）内に、第３の層の基材（１ｃ）に設けた潜像画像（２ｃ）をはっきりと視認することができる（この場合は数字の１である）。これは、図５に示した第１の層の基材（１ａ）に設けた画像（２ａ）内の穿孔（３ａ）と、第３の層の基材（１ｃ）に設けた潜像画像（２ｃ）内の穿孔（３ｃ）が重なっているため、穿孔（３ａ）と穿孔（３ｃ）が重なっている領域からは透過光量が強く、穿孔（３ａ）と穿孔（３ｃ）が重なっていない領域からは透過光量が弱く視認されるため、この透過光量に差によって、図７に示したように画像（２ａ）内に、潜像画像（２ｃ）を視認することができる。
【００３７】
本発明の他の例を示す。図８に第１の層の基材（１ａ）に画像（２ａ）を穿孔（３ａ）により形成した図を示す。図８に示した穿孔（３ａ）は二次元の縦横を等しいピッチで形成しているが本発明は穿孔（３ａ）をランダムにして画像（２ａ）を形成しても良い。図９は、第１の層の基材（１ａ）と後述する第３の層の基材（１ｃ）の中間層となる第２の層の基材（１ｂ）を示す。第２の層の基材（１ｂ）は光透過性を有する基材である必要がある。図１０に第３の層の基材（１ｃ）に潜像画像（２ｃ）を穿孔（３ｃ）により形成した図を示す。図１１に示すように、第１の層の基材（１ａ）、第２の層の基材（１ｂ）、第３の層の基材（１ｃ）を順次、接着剤を用いて接着層（４）を形成して積層し、真偽判別可能な積層体（５ｂ）とする。図１１に示した真偽判別可能な積層体（５ｂ）のＸ−Ｘ’断面図を図１２に示す。図１２に示すように第１の層の基材（１ａ）の下部に積層された第３の層の基材（１ｃ）に形成した穿孔（３ｃ）が、第１の層の基材（１ａ）に形成した穿孔（３ａ）の周辺領域に規則的に配置される必要がある。この場合は、第３の層の基材（１ｃ）に形成した穿孔（３ｃ）は、第１の層の基材（１ａ）に形成した穿孔（３ａ）に対して、左部に規則的に配置されているが、右部、上部又は下部等、つまり、第１の層の基材（１ａ）に形成した穿孔（３ａ）の周辺領域に規則的に配置されていれば良い。
【００３８】
図１３は、真偽判別可能な積層体（５ｂ）を反射光で観察した場合又は垂直方向から透過光で観察した場合の図を示す。図１３に示すように第１の層の基材（１ａ）に設けた画像（２ａ）のみが視認でき、図１２に示した第３の層の基材（１ｃ）に設けた潜像画像（２ｃ）を形成した穿孔（３ｃ）は、第１の層の基材（１ａ）に設けた画像（２ａ）を形成した穿孔（３ａ）の周辺領域に規則的に配置されているため、反射光又は垂直方向から透過光で観察しても視認することができなく、観察者は第１の層の基材（１ａ）の表面と穿孔（３ａ）とのコントラスト差のみを認識してしまうため、第３の層の基材（１ｃ）に形成した潜像画像（２ｃ）を視認することができない。
【００３９】
図１４は、真偽判別可能な積層体（５ｂ）に対して図１２に示したＸ方向に傾けて透過光で観察した場合の図を示す。図１４に示すように第１の層の基材（１ａ）に設けた画像（２ａ）内に、第３の層の基材（１ｃ）に設けた潜像画像（２ｃ）をはっきりと視認することができる（この場合は数字の２である）。これは、図１２に示した第３の層の基材（１ｃ）に設けた潜像画像（２ｃ）内の穿孔（３ｃ）が、第１の層の基材（１ａ）に設けた画像（２ａ）内の穿孔（３ａ）の周辺領域に規則的に配置されているため、Ｘ方向に傾けて透過光で観察することによって穿孔（３ａ）と穿孔（３ｃ）が重なっているように視認される領域からは透過光量が強く、穿孔（３ａ）と穿孔（３ｃ）が重なっていない領域からは透過光量が弱く視認されるため、この透過光量に差によって、図１４に示したように画像（２ａ）内に、潜像画像（２ｃ）を視認することができる。
【００４０】
観察可能な方向については、図１５に示すように第１の層の基材（１ａ）の下部に積層された第３の層の基材（１ｃ）の潜像画像（２ｃ）を形成した穿孔（３ｃ）と、第１の層の基材（１ａ）の画像（２ａ）を形成した穿孔（３ａ）との配置規則に依存する。つまり、図１５のＸ−Ｘ’断面図に示すように第１の層の基材（１ａ）に設ける画像（２ａ）を形成した穿孔（３ａ）に対して、第３の層の基材（１ｃ）の第３の画像（２ｃ）を形成した穿孔（３ｃ）はＹ１に規則的に配置された場合は、Ｘ１方向に傾けて透過光で観察することが必要であり、Ｙ２に規則的に配置された場合は、Ｘ２方向に傾けて透過光で観察することが必要である。
【００４１】
次に、透過光で異なる４方向から傾けて異なる画像が見える場合を示す。第１の層の基材には図１又は図８に示した画像を穿孔によって形成した基材を用い、第２の層の基材には図２又は図９に示した基材と同様なものを用いる。透過光で異なる４方向から傾けて異なる画像が視認できるようにするために第３の層の基材に形成する穿孔に規則性を持たせる必要がある。例えば、図１６に示すように潜像画像（２ｃ１）、潜像画像（２ｃ２）、潜像画像（２ｃ３）、潜像画像（２ｃ４）の４つの潜像画像を出現させたい場合に、これらの４つの画像を合成して、図１７に示すように第３の層の基材に潜像画像（２ｃ）を形成する必要があり、第３の層の基材に設ける潜像画像（２ｃ）を形成した穿孔（３ｃ）は、第１の層の基材の画像を形成した穿孔（３ａ）の周辺領域に規則的に配置する必要がある。Ｙ１に規則的に配置された場合は、Ｘ１方向に傾けて透過光で観察することが必要であり、Ｙ２に規則的に配置された場合は、Ｘ２方向に傾けて透過光で観察することが必要であり、Ｙ３に規則的に配置された場合は、Ｘ３方向に傾けて透過光で観察することが必要であり、Ｙ４に規則的に配置された場合は、Ｘ４方向に傾けて透過光で観察することが必要である。
【００４２】
よって、このような第３の層の基材に潜像画像（２ｃ）を設けた真偽判別可能な積層体（５ｃ）は、図１８（ａ）に示すように、Ｘ１方向に傾けて透過光で観察する場合はＹ１に規則的に配置された潜像画像（２ｃ１）（この場合は２）が視認され、図１８（ｂ）に示すように、Ｘ２方向に傾けて透過光で観察する場合はＹ２に規則的に配置された潜像画像（２ｃ２）（この場合は３）が視認され、図１８（ｃ）に示すように、Ｘ３方向に傾けて透過光で観察する場合はＹ３に規則的に配置された潜像画像（２ｃ３）（この場合は４）が視認され、図１８（ｄ）に示すように、Ｘ４方向に傾けて透過光で観察する場合はＹ４に規則的に配置された潜像画像（２ｃ４）（この場合は５）が視認される。つまり、透過光で異なる４方向から傾けて異なる４つの画像が視認できることとなる。
【００４３】
上記の真偽判別可能な積層体（５ｃ）は、４つの画像を出現されているが、言うまでもなく、２つ、３つの画像を出現させることもできる。また、潜像画像（２ｃ１）、潜像画像（２ｃ２）、潜像画像（２ｃ３）、潜像画像（２ｃ４）の４つの画像は、穿孔（３ａ）に対して上下左右に規則的に配置されているが、斜め方向に規則的に配置させてもよく、この場合、上下左右に規則的に配置された穿孔と斜めに規則的に配置させて穿孔を組合せて８つの画像を出現させることも可能できる。また、このような複数の潜像画像を用いて、動画的にそれぞれの潜像画像の一部を異ならせ、真偽判別可能な積層体を作製することによって、透過光で傾けて真偽判別可能な積層体を回転させて観察することによって潜像画像が動画像のように動いて観察することができる。また、潜像画像（２ｃ１）、潜像画像（２ｃ２）、潜像画像（２ｃ３）、潜像画像（２ｃ４）の４つの画像は、すべて異なっている画像を用いているが、同一の画像を用いても、同一の画像と異なった画像を組み合わせても良い。
【００４４】
次に、垂直方向から透過光で観察した場合及び透過光で異なる４方向から傾けて異なる画像が視認できる場合を示す。第１の層の基材には図１又は図８に示した画像を穿孔によって形成した基材を用い、第２の層の基材には図２又は図９に示した基材と同様なものを用いる。垂直方向から透過光で観察した場合及び透過光で異なる４方向から傾けて異なる画像が視認できるようにするために第３の層の基材に形成する穿孔に規則性を持たせる必要がある。例えば、図１９に示すように潜像画像（２ｃ１）、潜像画像（２ｃ２）、潜像画像（２ｃ３）、潜像画像（２ｃ４）、潜像画像（２ｃ５）、の５つの潜像画像を出現させたい場合に、これらの５つの画像を合成して、図２０に示すように第３の層の基材に潜像画像（２ｃ）を形成する必要がある。
【００４５】
よって、このような第３の層の基材に潜像画像（２ｃ）を設けた真偽判別可能な積層体（５ｄ）は、図２１（ａ）に示すように、Ｘ１方向に傾けて透過光で観察する場合はＹ１に規則的に配置された潜像画像（２ｃ１）（この場合は２）が視認され、図２１（ｂ）に示すように、Ｘ２方向に傾けて透過光で観察する場合はＹ２に規則的に配置された潜像画像（２ｃ２）（この場合は３）が視認され、図２１（ｃ）に示すように、Ｘ３方向に傾けて透過光で観察する場合はＹ３に規則的に配置された潜像画像（２ｃ３）（この場合は４）が視認され、図２１（ｄ）に示すように、Ｘ４方向に傾けて透過光で観察する場合はＹ４に規則的に配置された潜像画像（２ｃ４）（この場合は５）が視認され、図２１（ｅ）に示すように、垂直方向から透過光で観察した場合にＹ５に規則的に配置された潜像画像（２ｃ５）（この場合は１）が視認される。つまり、垂直方向から透過光で観察した場合及び透過光で異なる４方向から傾けて異なる５つの画像が視認できることとなる。
【００４６】
上記の真偽判別可能な積層体（５ｄ）は、５つの画像を出現されているが、言うまでもなく、２つ、３つ、４つの画像を出現させることもできる。また、潜像画像（２ｃ１）、潜像画像（２ｃ２）、潜像画像（２ｃ３）、潜像画像（２ｃ４）、潜像画像（２ｃ５）の５つの画像は、穿孔（３ａ）に対して上下左右中央に規則的に配置されているが、斜め方向に規則的に配置させてもよく、この場合、上下左右に規則的に配置された穿孔と斜めに規則的に配置させて穿孔を組合せて９つの画像を出現させることも可能できる。また、潜像画像（２ｃ１）、潜像画像（２ｃ２）、潜像画像（２ｃ３）、潜像画像（２ｃ４）、潜像画像（２ｃ５）の５つの画像は、すべて異なっている画像を用いているが、同一の画像を用いても、同一の画像と異なった画像を組み合わせても良い。
【００４７】
以上、真偽判別可能な積層体（５ａ）、（５ｄ）をまとめると、第３の層の基材に設ける潜像画像が、ｎ個の異なった潜像画像の合成した穿孔によって構成され、第３の層の基材に設けるｎ１の潜像画像を形成する穿孔が、第１の層の基材に設ける画像を形成する穿孔に対して、一部又は全部が重なるように配置され、第３の層の基材に設けるｎ２の潜像画像を形成する穿孔が、第１の層の基材に設ける画像を形成する穿孔に対して、重ならないように配置され、画像を形成する穿孔の周辺領域に規則性をもって配置され、第３の層の基材に設けるｎ３、ｎ４、ｎ５…潜像画像を形成する穿孔が、第１の層の基材に設ける画像を形成する穿孔に対して、重なることなく、第３の層の基材に設けるｎ−１個の潜像画像を設けた領域以外で、画像を形成する穿孔の周辺領域に規則性をもって配置されて積層する必要がある。
【００４８】
以上、真偽判別可能な積層体（５ｂ）、（５ｃ）をまとめると、第３の層の基材に設ける潜像画像が、ｎ個の異なった潜像画像の合成した穿孔によって構成され、第３の層の基材に設けるｎ１の潜像画像を形成する穿孔が、第１の層の基材に設ける画像を形成する穿孔に対して、重なることなく、画像を形成する穿孔の周辺領域に規則性をもって配置され、第３の層の基材に設ける前記ｎ２、ｎ３、ｎ４…潜像画像を形成する穿孔が、第１の層の基材に設ける画像を形成する穿孔に対して、重なることなく、第３の層の基材に設けるｎ−１個の潜像画像を設けた領域以外で、画像を形成する穿孔の周辺領域に規則性をもって配置されて積層する必要がある。
【００４９】
次に、垂直方向から透過光で観察した場合に立体的に画像が視認できる場合を示す。第１の層の基材には図１又は図８に示した画像を穿孔によって形成した基材を用い、第２の層の基材には図２又は図９に示した基材と同様なものを用いる。垂直方向から透過光で観察した場合に立体的に画像が視認できるようにするために第３の層の基材に形成する穿孔に規則性を持たせる必要がある。図２２に示すように第３の層の基材に形成する潜像画像（２ｃ）を形成する穿孔（３ｃ）は、第1の層の基材に設ける穿孔（２ａ）の周辺領域に規則性をもって左右、上下等の対称に設ける必要がある。図２２では第1の層の基材に設ける穿孔（２ａ）の周辺領域に規則性をもって左右対称に設けている。実施例５のような構成でも本発明の効果を奏することができる。
【００５０】
潜像画像（２ｃ）を第1の層の基材に設ける穿孔（３ａ）の周辺領域に規則性をもって左右等の対称に設けた穿孔（３ｃ）を第３の層の基材に形成して作製した真偽判別可能な積層体（５ｅ）は、図２３に示すように垂直方向から透過光で観察した場合に、人間の左眼は右側の穿孔（３ｃ１）が視認され、人間の右眼は左側の穿孔（３ｃ２）が視認される。つまり、穿孔（３ｃ１）と穿孔（３ｃ２）の穿孔は、穿孔（３ａ）をパララックスバリアとする位置に配置する必要がある。よって、第３の層の基材に形成する潜像画像（２ｃ）が立体的、つまり、奥行き感のある潜像画像が視認される。
【００５１】
次に、垂直方向から連続的に傾けて透過光で観察した場合に画像が連続的に動いて視認できる場合又は異なった潜像画像が視認できる場合を示す。第１の層の基材には図１又は図８に示した画像を穿孔によって形成した基材を用い、第２の層の基材には図２又は図９に示した基材と同様なものを用いる。垂直方向から連続的に傾けて透過光で観察した場合に画像が連続的に動いて視認又は、異なった潜像画像が視認できるようにするために第３の層の基材に形成する穿孔に規則性を持たせる必要がある。例えば、図２４に示すように潜像画像（２ｃ１）、潜像画像（２ｃ２）、潜像画像（２ｃ３）、潜像画像（２ｃ４）の４つの潜像画像を連続的に出現させたい場合に、これらの５つの画像を合成して、図２５に示すように第３の層の基材に潜像画像（２ｃ）を形成する必要がある。
【００５２】
潜像画像（２ｃ１）、潜像画像（２ｃ２）、潜像画像（２ｃ３）、潜像画像（２ｃ４）を合成する場合には、垂直方向から透過光で画像が視認されないようにするためには、図２６（ａ）に示すように第１の層の基材に形成する穿孔に対して重ならないように配置させる。次に、穿孔（３ａ１）に対して潜像画像（２ｃ１）を形成する穿孔（３ｃ１）を隣接させて形成する。次に、穿孔（３ｃ１）に対して潜像画像（２ｃ２）を形成する穿孔（３ｃ２）を隣接させて形成する。次に、穿孔（３ｃ２）に対して潜像画像（２ｃ３）を形成する穿孔（３ｃ３）を隣接させて形成する。次に、穿孔（３ｃ３）に対して潜像画像（２ｃ４）を形成する穿孔（３ｃ４）を隣接させて形成する。潜像画像（２ｃ１）、潜像画像（２ｃ２）、潜像画像（２ｃ３）、潜像画像（２ｃ４）の４つの画像を合成した第３の層の基材に潜像画像（２ｃ）を形成する穿孔は第１の層の基材に形成する穿孔（３ａ１）から穿孔（３ａ２）の間、つまり、図２５（ａ、ｂ）に示すように、領域（Ｓ）の間に形成する必要がある。
【００５３】
このようなことなら、第３の層の基材に設ける潜像画像が、ｎ個の異なった潜像画像の合成した穿孔によって構成された潜像画像は、第３の層の基材に設けるｎ１の潜像画像を形成する穿孔が、第１の層の基材に設ける画像を形成する穿孔に対して、重なることなく、画像を形成する穿孔の周辺領域に規則性をもって配置され、第３の層の基材に設けるｎ２、ｎ３…の潜像画像を形成する穿孔が、第１の層の基材に設ける画像を形成する穿孔に対して、重なることなく、ｎ１の潜像画像を形成する穿孔位置と同一方向及び異なる距離だけ離れた位置に規則性をもってｎ２、ｎ３…の潜像画像を形成する穿孔が順に配置される必要がある。
【００５４】
図２５に示す第３の層の基材に潜像画像（２ｃ）を第１の層の基材に形成する穿孔（３ａ）に対して、図２６（ａ）のように規則的に配列し、積層された真偽判別可能な積層体（５ｆ）は垂直方向から連続的に傾けて透過光で観察した場合に、図２７に示すように、垂直方向から透過光で潜像画像は観察できないが、透過光で傾ける度合を深めるに従い、第３の層の基材に設けた潜像画像（２ｃ１）、潜像画像（２ｃ２）、潜像画像（２ｃ３）、潜像画像（２ｃ４）の順に視認され、潜像画像（２ｃ）が連続的に動いて視認することができる。潜像画像（２ｃ１）、潜像画像（２ｃ２）、潜像画像（２ｃ３）、潜像画像（２ｃ４）を異なったデザインの画像にした場合に垂直方向から連続的に傾けて透過光で観察した場合に、異なったデザインの潜像画像が視認できる。
【００５５】
次に、垂直方向から透過光で観察した場合又は垂直方向から連続的に傾けて透過光で観察した場合に画像が連続的に動いて視認できる、あるいは異なった潜像画像が視認できる場合を示す。第１の層の基材には図１又は図８に示した画像を穿孔によって形成した基材を用い、第２の層の基材には図２又は図９に示した基材と同様なものを用いる。垂直方向から透過光で観察した場合又は垂直方向から連続的に傾けて透過光で観察した場合に画像が連続的に動いて視認できる、あるいは異なった潜像画像が視認できるようにするために第３の層の基材に形成する穿孔に規則性を持たせる必要がある。例えば、図２８に示すように潜像画像（２ｃ１）、潜像画像（２ｃ２）、潜像画像（２ｃ３）、潜像画像（２ｃ４）、潜像画像（２ｃ５）の５つの潜像画像を連続的に出現させたい場合に、これらの５つの画像を合成して、図２９に示すように第３の層の基材に潜像画像（２ｃ）を形成する必要がある。
【００５６】
潜像画像（２ｃ１）、潜像画像（２ｃ２）、潜像画像（２ｃ３）、潜像画像（２ｃ４）、潜像画像（２ｃ５）を合成する場合には、図３０（ａ）に示すように垂直方向なら透過光で観察される潜像画像（２ｃ１）とした場合に、穿孔（３ｃ１）は、第１の層の基材に形成する穿孔に対して一部又は全部が重なるように配置させる。次に垂直方向から透過光で画像が視認されないようにするためには、図３０（ａ）に示すように第１の層の基材に形成する穿孔に対して重ならないように配置させる。次に、穿孔（３ａ１）に対して潜像画像（２ｃ２）を形成する穿孔（３ｃ２）を隣接させて形成する。次に、穿孔（３ｃ２）に対して潜像画像（２ｃ３）を形成する穿孔（３ｃ３）を隣接させて形成する。次に、穿孔（３ｃ３）に対して潜像画像（２ｃ４）を形成する穿孔（３ｃ４）を隣接させて形成する。次に、穿孔（３ｃ４）に対して潜像画像（２ｃ５）を形成する穿孔（３ｃ５）を隣接させて形成する。この場合、潜像画像（２ｃ２）、潜像画像（２ｃ３）、潜像画像（２ｃ４）、潜像画像（２ｃ５）の４つの画像は第１の層の基材に形成する穿孔（３ａ１）から穿孔（３ａ２）の間、つまり、図３０（ａ、ｂ）に示すように、領域（Ｓ）の間に形成する必要がある。
【００５７】
このようなことなら、第３の層の基材に設ける潜像画像が、ｎ個の異なった潜像画像の合成した穿孔によって構成された潜像画像は、第３の層の基材に設けるｎ１の潜像画像を形成する穿孔が、第１の層の基材に設ける画像を形成する穿孔に対して、一部又は全部が重なるように、画像を形成する穿孔の周辺領域に規則性をもって配置され、第３の層の基材に設けるｎ２の潜像画像を形成する穿孔が、第１の層の基材に設ける画像を形成する穿孔に対して、重ならないように、画像を形成する穿孔の周辺領域に規則性をもって配置され、第３の層の基材に設けるｎ３、ｎ４…の潜像画像を形成する穿孔が、第１の層の基材に設ける画像を形成する穿孔に対して、重なることなく、ｎ２の潜像画像を形成する穿孔位置と同一方向及び異なる距離だけ離れた位置に規則性をもってｎ３、ｎ４…の潜像画像を形成する穿孔が順に配置される必要がある。
【００５８】
図２９に示す第３の層の基材に潜像画像（２ｃ）を第１の層の基材に形成する穿孔に対して、図３０（ａ）のように規則的に配列し、積層された真偽判別可能な積層体（５ｇ）は垂直方向から連続的に傾けて透過光で観察した場合に、図３１に示すように、垂直方向から透過光で潜像画像（２ｃ１）が観察され、透過光で傾ける度合を深めるに従い、潜像画像（２ｃ２）潜像画像（２ｃ３）潜像画像（２ｃ４）潜像画像（２ｃ５）の順に視認され、第３の層の基材に設けた潜像画像（２ｃ）が連続的に動いて視認することができる。潜像画像（２ｃ１）、潜像画像（２ｃ２）、潜像画像（２ｃ３）、潜像画像（２ｃ４）、潜像画像（２ｃ５）を異なったデザインの画像にした場合に垂直方向から連続的に傾けて透過光で観察した場合に、異なったデザインの潜像画像が視認できる。
【００５９】
本発明の穿孔はレーザ穿孔装置等で付与でき、大きさは５０μｍ〜１０００μｍが好ましい。穿孔の大きさは積層体の厚みと表現したい画像の解像度や数と関係がある。当然、特定の領域に高い解像度の画像を表現する場合にはできるだけ小さな径の穿孔が必要であるが、数十ミクロン以下であると穿孔を作成する上で困難となる。また、大きな径の穿孔を用いる場合は、表現できる画像が粗いものとなってしまう。
【００６０】
本発明に用いる第１の層の基材及び第３の層の基材は、特に限定されることはなく、紙葉類、フィルム、プラスチック、金属等を利用することができる。また、第１の層の基材及び第３の層の基材の厚さについても特に限定されることはないが、０．１ｍｍから１．０ｍｍ程度が好ましい。
【００６１】
本発明に用いる光透過性を有する第２の層の基材は、光を透過することができるプラスチック、ラミネートフィルム等であればよく、光を透過しない基材を用いた場合、透過光で垂直方向から観察した場合又は透過光で傾けて観察した場合に第３の層に設けた潜像画像を視認することができなくなり、本発明の効果を奏することができない。第２の層の基材の厚さについても特に限定されることはないが、０．１ｍｍから５．０ｍｍ程度が好ましい。
【００６２】
例えば、第１の層の基材、第２の層の基材及び第３の層の基材の厚みをｄとし、第１の層の基材、第３の層の基材に設ける各穿孔の直径を各基材の厚みと同様のｄとして作製し、基材の垂直方向から角度θで観察できるようにするためには、第３の層の基材に設けた穿孔の中心と第１の層の基材に設けた穿孔の中心に相当する第３の層の位置との距離を２ｄ・tanθとする必要がある。但し、この場合においては観察角度が±４５°以上では、本発明の効果を奏することができない（図４４）。
【００６３】
本発明の穿孔の形状は、特に限定されることはなく、円形状、多角形（三角形、四角形…等）及び特種な形状の穿孔の少なくとも一つで形成する必要がある。多角形又は特殊な形状の穿孔を用いることによって、複製されにくくなるため偽造防止効果が向上する。
【００６４】
本発明の第３の層の潜像画像は文字、数字、記号及び絵柄の少なくとも一つで構成することにより、透過光で垂直方向から観察した場合又は透過光で傾けて観察した場合に真偽判別効果が向上する。
【００６５】
また、本発明の画像と基材を潜像画像を形成する穿孔の大きさが同一の場合でも、穿孔の配置位置によっては基材を斜めから観察した場合に階調ある潜像画像を視認することができる。
【００６６】
また、本発明は第１の層の基材、第２の層の基材、第３の層の基材を積層させるために、第１の層の基材と第２の層の基材の間に接着層を設け、第２の層の基材と第３の層の基材の間に接着層を設けても良い。また、第２の層の基材の中間層を２層以上の多層にしてもよい。また、第１の層の基材及び／又は第３の層の基材の裏面に基材を積層させても良い。
【００６７】
本発明の光透過性を有する基材からなる第２の層は、無色、有色、複数の色で構成されていても良い。有色、複数の色を用いた場合は、第３の層に形成する潜像画像が色情報もって視認することができる。また、各潜像画像毎に色彩を異ならすことができる。また、光透過性を有する基材からなる第２の層が紫外線により発光する基材を用いることによって紫外線を照射して透過光で本発明の真偽判別可能な積層体を観察した場合に、発光した潜像画像を視認することができる。。
【００６８】
本発明の第３の層に２次元に配列された穿孔により形成した穿孔群からなる潜像画像をカモフラージュするための穿孔を設けることによって、裏面から観察できる形態で一つの潜像画像を設けた真偽判別可能な積層体を作製した場合に、裏面から潜像画像が視認されてしまうことを防ぐことができる。この場合、第３の層に有する潜像画像を形成する穿孔群の個々の穿孔位置は、第１の層に有する画像を形成する穿孔群の個々の穿孔位置に対応しているため、この対応して配置されている個所以外にカモフラージュの穿孔を設ける必要がある。カモフラージュの穿孔については図４８に示す。
【００６９】
以上の構成中の第１の層の画像と第３の層の潜像画像の配置関係を概念的に簡単に整理すると、図４５に示す通りである。
【００７０】
本発明の画像と潜像画像を形成する穿孔が基材に対して特定の角度で斜めに形成した場合の図を図４６に示す。穿孔の角度以外は真偽判別可能な積層体（５ａ）と同様な構成を図４６（ａ）に示す。穿孔の角度以外は真偽判別可能な積層体（５ｂ）と同様な構成を図４６（ｂ）に示す。穿孔の角度以外は真偽判別可能な積層体（５ｃ）と同様な構成を図２０（ｄ）に示す。穿孔の角度以外は真偽判別可能な積層体（５ｄ）と同様な構成を図４６（ｄ）に示す。穿孔の角度以外は真偽判別可能な積層体（５ｅ）と同様な構成を図４６（ｅ）に示す。穿孔の角度以外は真偽判別可能な積層体（５ｆ）と同様な構成を図２０（ｆ）に示す。これらの効果は、真偽判別可能な積層体（５ａ、５ｂ、５ｃ、５ｄ、５ｅ、５ｆ）とは異なり、垂直方向から透過光で観察した場合に画像は観察できないが、傾けて観察した場合に画像が観察され、更に傾けると潜像画像が観察される。本発明の穿孔が、深さ方向に伴って、穿孔の直径が小さくなる形成する場合の図を図４７に示す。図４７は、切頭円錐の一例を示す。
【００７１】
【実施例】
以下、実施例を用いて本発明を更に詳細に説明するが、本発明の内容は、これらの実施例の範囲に限定されるものではない。
【００７２】
（実施例１）
厚さ約０．１ｍｍの紙を２枚、厚さ０．１ｍｍの透明フィルムを１枚用意した。一方の紙には、直径０．２ｍｍの穿孔を０．８ｍｍの一定間隔で格子状に、レーザ加工機によって図柄（Ａ）を施した（図３２（ａ）参照）。他方の紙には、直径０．１ｍｍの穿孔を０．８ｍｍの一定間隔でレーザ加工機によって潜像図柄（Ｂ）を施した（図３２（ｂ）参照）。これら穿孔を施した２枚の紙の間に厚さ約０．１ｍｍの透明フィルムをはさみ、一方の紙に施した図柄（Ａ）の穿孔と、もう一方の紙に施した潜像図柄（Ｂ）を形成する穿孔の中心が一致し、重なるように配置するようにして接着剤で積層し、真偽判別可能な積層体（Ｃ１）を作成した（図３３参照）。この真偽判別可能な積層物（Ｃ１）を反射光で観察した場合には、図柄（Ａ）のみが視認され、透過光で観察した場合には、図柄（Ａ）内に潜像画像（Ｂ）が出現し、視認することができた。
【００７３】
（実施例２）
厚さ約０．１ｍｍの紙を２枚、厚さ０．１ｍｍの透明フィルムを１枚用意した。一方の紙には、直径０．２ｍｍの穿孔を０．８ｍｍの一定間隔で格子状に、レーザ加工機によって図柄（Ａ）を施した（図３４（ａ）参照）。他方の紙には、直径０．２ｍｍの穿孔を０．８ｍｍの一定間隔で、レーザ加工機によって潜像図柄（Ｂ）を施した（図３４（ｂ）参照）。これら穿孔を施した２枚の紙の間に厚さ約０．１ｍｍの透明フィルムをはさみ、一方の紙に施した図柄（Ａ）の穿孔と、もう一方の紙に施した潜像図柄（Ｂ）を形成する穿孔が、重ならないように、図柄（Ａ）の穿孔を基準として左側に規則的に配置するように、接着剤で積層し、真偽判別可能な積層体（Ｃ２）を作成した（図３５参照）。この真偽判別可能な積層物（Ｃ２）を反射光で観察した場合には、図柄（Ａ）のみが視認され、透過光で図３５に示すＸ方向から観察した場合には、図柄（Ａ）内に潜像画像（Ｂ）が出現し、視認することができた。
【００７４】
（実施例３）
厚さ約０．１ｍｍの紙を２枚、厚さ０．１ｍｍの透明フィルムを１枚用意した。一方の紙には、直径０．２ｍｍの穿孔を０．８ｍｍの一定間隔で格子状に、レーザ加工機によって図柄（Ａ）を施した（図３６（ａ）参照）。他方の紙には、直径０．２ｍｍの穿孔を０．８ｍｍの一定間隔で、レーザ加工機によって異なる４つの潜像図柄（Ｂ１）、潜像図柄（Ｂ２）、潜像図柄（Ｂ３）、潜像図柄（Ｂ４）が形成されている潜像画像（Ｂ）を施した（図３６（ｂ）参照）。これら穿孔を施した２枚の紙の間に厚さ約０．１ｍｍの透明フィルムをはさみ、一方の紙に施した図柄（Ａ）の穿孔と、もう一方の紙に施した潜像図柄（Ｂ）を形成する穿孔が、重ならないように、図柄（Ａ）の穿孔を基準として、潜像画像（Ｂ１）を形成している穿孔が左側（上側を０度とした場合、２７０度）に規則的に配置し、潜像画像（Ｂ２）を形成している穿孔が右側（上側を０度とした場合、９０度）に規則的に配置し、潜像画像（Ｂ３）を形成している穿孔が上側（上側を０度とした場合、０度）に規則的に配置し、潜像画像（Ｂ４）を形成している穿孔が下側（上側を０度とした場合、１８０度）に規則的に配置し、接着剤で積層し、真偽判別可能な積層体（Ｃ３）を作成した（図３７参照）。この真偽判別可能な積層物（Ｃ３）を反射光で観察した場合には、図柄（Ａ）のみが視認され、透過光で図３７に示すＸ１方向から観察した場合には、図柄（Ａ）内に潜像画像（Ｂ１）が出現し、透過光で図３７に示すＸ２方向から観察した場合には、図柄（Ａ）内に潜像画像（Ｂ２）が出現し、透過光で図３７に示すＸ３方向から観察した場合には、図柄（Ａ）内に潜像画像（Ｂ３）が出現し、透過光で図３７に示すＸ４方向から観察した場合には、図柄（Ａ）内に潜像画像（Ｂ４）が出現し、視認することができた。
【００７５】
（実施例４）
厚さ約０．１ｍｍの紙を２枚、厚さ０．１ｍｍの透明フィルムを１枚用意した。一方の紙には、直径０．２ｍｍの穿孔を０．８ｍｍの一定間隔で格子状に、レーザ加工機によって図柄（Ａ）を施した（図３８（ａ）参照）。他方の紙には、直径０．２ｍｍの穿孔を０．８ｍｍの一定間隔で、レーザ加工機によって異なる５つの潜像図柄（Ｂ１）、潜像図柄（Ｂ２）、潜像図柄（Ｂ３）、潜像図柄（Ｂ４）、潜像図柄（Ｂ５）が形成されている潜像画像（Ｂ）を施した（図３８（ｂ）参照）。これら穿孔を施した２枚の紙の間に厚さ約０．１ｍｍの透明フィルムをはさみ、一方の紙に施した図柄（Ａ）の穿孔と、もう一方の紙に施した潜像図柄（Ｂ）を形成する穿孔が、重ならないように、図柄（Ａ）の穿孔を基準として、潜像画像（Ｂ１）を形成している穿孔が左側（上側を０度とした場合、２７０度）に規則的に配置し、潜像画像（Ｂ２）を形成している穿孔が右側（上側を０度とした場合、９０度）に規則的に配置し、潜像画像（Ｂ３）を形成している穿孔が上側（上側を０度とした場合、０度）に規則的に配置し、潜像画像（Ｂ４）を形成している穿孔が下側（上側を０度とした場合、１８０度）に規則的に配置し、更に図柄（Ａ）の穿孔と、潜像画像（Ｂ５）を形成している穿孔の中心が一致し、重なるように配置するようにして接着剤で積層し、真偽判別可能な積層体（Ｃ４）を作成した（図３９参照）。この真偽判別可能な積層物（Ｃ４）を反射光で観察した場合には、図柄（Ａ）のみが視認され、透過光で図３９に示すＸ１方向から観察した場合には、図柄（Ａ）内に潜像画像（Ｂ１）が出現し、透過光で図３９に示すＸ２方向から観察した場合には、図柄Ａ内に潜像画像（Ｂ２）が出現し、透過光で図３９に示すＸ３方向から観察した場合には、図柄（Ａ）内に潜像画像（Ｂ３）が出現し、透過光で図３９に示すＸ４方向から観察した場合には、図柄（Ａ）内に潜像画像（Ｂ４）が出現し、透過光で垂直方向から観察した場合には、図柄（Ａ）内に潜像画像（Ｂ５）が出現し、視認することができた。
【００７６】
（実施例５）
厚さ約０．１ｍｍの紙を２枚、厚さ０．１ｍｍの透明フィルムを１枚用意した。一方の紙には、直径０．２ｍｍの穿孔を０．８ｍｍの一定間隔で格子状に、レーザ加工機によって図柄（Ａ）を施した（図４０（ａ）参照）。他方の紙には、直径０．２ｍｍの穿孔を０．８ｍｍの一定間隔で、レーザ加工機によって潜像図柄（Ｂ）を施した（図４０（ｂ）参照）。潜像図柄（Ｂ）は一対の穿孔群から形成されている。これら穿孔を施した２枚の紙の間に厚さ約０．１ｍｍの透明フィルムをはさみ、一方の紙に施した図柄（Ａ）の穿孔と、もう一方の紙に施した潜像図柄（Ｂ）を形成する穿孔が、重ならないように、図柄（Ａ）の穿孔に対して、一対の穿孔群から形成される潜像画像（Ｂ）の一方の潜像画像（Ｂ’）を形成している穿孔（Ｃ’）が左側（上側を０度とした場合、２７０度）及び一対の穿孔群から形成される潜像画像（Ｂ）の他方の潜像画像（Ｂ’’）を形成している穿孔（Ｃ’’）が右側（上側を０度とした場合、９０度）に規則的に配置し、接着剤で積層し、真偽判別可能な積層体（Ｃ５）を作成した（図４１参照）。この真偽判別可能な積層物（Ｃ５）を反射光で観察した場合には、図柄Ａのみが視認され、垂直方向から透過光で観察した場合に、図柄（Ａ）内に潜像画像（Ｂ）が立体的に出現し、視認することができた。図柄（Ａ）の穿孔に対して、潜像画像（Ｂ）を形成している穿孔が左側（上側を０度とした場合、２７０度）及び右側（上側を０度とした場合、９０度）に規則的に配置しているが、図柄（Ａ）の穿孔をパララックスバリアとするように、潜像画像（Ｂ）を形成している穿孔を配置すれば、本発明の効果を奏することができる。
【００７７】
（実施例６）
厚さ約０．１ｍｍの紙を２枚、厚さ０．１ｍｍの透明フィルムを１枚用意した。一方の紙には、直径０．２ｍｍの穿孔を０．８ｍｍの一定間隔で格子状に、レーザ加工機によって図柄（Ａ）を施した（図４２（ａ）参照）。他方の紙には、直径０．１５ｍｍの穿孔を０．８ｍｍの一定間隔で、レーザ加工機によって連続的な動画を構成する潜像図柄（Ｂ１）、潜像図柄（Ｂ２）、潜像図柄（Ｂ３）、潜像図柄（Ｂ４）、潜像図柄（Ｂ５）が形成されている潜像画像（Ｂ）を施した（図４２（ｂ）参照）。これら穿孔を施した２枚の紙の間に厚さ約０．３ｍｍの透明フィルムをはさみ、図柄（Ａ）の穿孔と、潜像画像（Ｂ５）を形成している穿孔の中心が一致し、重なるように配置するようにし、一方の紙に施した図柄（Ａ）の穿孔と、もう一方の紙に施した潜像図柄（Ｂ１）を形成する穿孔が、重ならないように、図柄（Ａ）の穿孔に対して、潜像画像（Ｂ１）を形成している穿孔が下側（上側を０度とした場合、１８０度）に規則的に配置し、潜像画像（Ｂ２）を形成している穿孔が、潜像画像（Ｂ１）を形成している穿孔が下側に規則的に配置し、潜像画像（Ｂ３）を形成している穿孔が、潜像画像（Ｂ２）を形成している穿孔が下側に規則的に配置し、潜像画像（Ｂ４）を形成している穿孔が、潜像画像（Ｂ３）を形成している穿孔が下側に規則的に配置するようにして接着剤で積層し、真偽判別可能な積層体（Ｃ６）を作成した（図４３参照）。この真偽判別可能な積層物（Ｃ６）を反射光で観察した場合には、図柄（Ａ）のみが視認され、透過光で垂直方向から観察した場合には、図柄（Ａ）内に潜像画像（Ｂ５）が出現し、Ｘ方向からＸ’方向に徐々に傾けて観察した場合に、図柄（Ａ）内に連続的な動画を構成する潜像画像（Ｂ５）、潜像画像（Ｂ１）、潜像画像（Ｂ２）、潜像画像（Ｂ３）潜像画像（Ｂ４５）の順に出現し、視認することができた。図柄（Ａ）の穿孔に対して、潜像画像（Ｂ１）から潜像画像（Ｂ４）を形成している穿孔が下側（上側を０度とした場合、１８０度）に連続的に配置しているが、図柄（Ａ）の穿孔に対して、潜像画像（Ｂ１）から潜像画像（Ｂ４）を形成している穿孔が３６０度どの位置であっても連続的に配置するようにすれば、本発明の効果を奏することができる。
【００７８】
以上、本発明の実施例に基づいて説明したが、本発明はこの実施例に限定されるものではなく、特許請求の範囲記載における技術的思想の範囲内であれば、その他のいろいろな実施の形態が考えられる。
【００７９】
【発明の効果】
３層に積層した積層体の第２の層の基材に光透過性を有する基材を用いて、第１の層の基材及び第３の層の基材に穿孔によって画像を形成し、第１の層の基材に形成した穿孔と第３の層の基材に形成した穿孔が規則性を持たせて配置された積層体は、透過光で観察した場合に明瞭な潜像画像の出現、多方向から異なる複数の潜像画像の出現、鮮明な立体的な潜像画像の出現、動画要素のある潜像画像の出現されるため、真偽判別効果の高い、改ざん、複製防止効果のある真偽判別可能な積層体となるため、銀行券、パスポート、有価証券、カード、印紙類等の偽造、複写、改ざんを防止する必要性のある貴重印刷物に適用することができる。
【００８０】
デザイン上、異なる複数の観察方向により潜像画像を出現させることが可能であり、真偽判別装置等を用いることなく誰でもその場で真偽判別することができる。また、本デバイスを偽造、改竄しようとした場合、第１の層の基材と第３の層の基材の穿孔の位置関係を忠実に再現する必要があり、微細な穿孔自体の再現のみならず、それらの配置までも再現することは非常に困難となる。
【００８１】
本発明の真偽判別可能な積層体はレーザを垂直に照射し、且つ、基材を水平方向に自動搬送するような大量生産ラインを構成する装置でも作製でき、基材に斜め穿孔を形成しなくとも潜像画像を形成できるため、複雑な加工機を用いることなく作製できる。
【００８２】
【図面の簡単な説明】
【図１】第１の層の基材（１ａ）に画像（２ａ）を穿孔（３ａ）により形成した図である。
【図２】第１の層の基材（１ａ）と第３の層の基材（１ｃ）の中間層となる第２の層の基材（１ｂ）を示す図である。
【図３】第３の層の基材（１ｃ）に潜像画像（２ｃ）を穿孔（３ｃ）により形成した図である。
【図４】真偽判別可能な積層体（５ａ）を示す図である。
【図５】真偽判別可能な積層体（５ａ）のＸ−Ｘ’断面図を示す図である。
【図６】真偽判別可能な積層体（５ａ）を反射光で観察した場合を示す図である。
【図７】真偽判別可能な積層体（５ａ）に対して垂直方向から透過光で観察した場合を示す図である。
【図８】第１の層の基材（１ａ）に画像（２ａ）を穿孔（３ａ）により形成した図である。
【図９】第１の層の基材（１ａ）と第３の層の基材（１ｃ）の中間層となる第２の層の基材（１ｂ）を示す図である。
【図１０】第３の層の基材（１ｃ）に潜像画像（２ｃ）を穿孔（３ｃ）により形成した図である。
【図１１】真偽判別可能な積層体（５ｂ）を示す図である。
【図１２】真偽判別可能な積層体（５ｂ）のＸ−Ｘ’断面図を示す図である。
【図１３】真偽判別可能な積層体（５ｂ）を反射光で観察した場合又は垂直方向から透過光で観察した場合を示す図である。
【図１４】真偽判別可能な積層体（５ｂ）に対して図１２に示したＸ方向に傾けて透過光で観察した場合を示す図である。
【図１５】真偽判別可能な積層体（５ｂ）の潜像画像（２ｃ）を形成した穿孔（３ｃ）と、第１の層の基材（１ａ）の画像（２ａ）を形成した穿孔（３ａ）との配置規則と、観察方向の関連性を示す図である。
【図１６】潜像画像（２ｃ１）、潜像画像（２ｃ２）、潜像画像（２ｃ３）、潜像画像（２ｃ４）の潜像画像を示す図である。
【図１７】潜像画像（２ｃ１）、潜像画像（２ｃ２）、潜像画像（２ｃ３）、潜像画像（２ｃ４）の４つの潜像画像を合成して作製した潜像画像（２ｃ）を示す図と、真偽判別可能な積層体（５ｃ）の潜像画像（２ｃ）を形成した穿孔（３ｃ）と、第１の層の基材（１ａ）の画像（２ａ）を形成した穿孔（３ａ）との配置規則と、観察方向の関連性を示す図である。
【図１８】真偽判別可能な積層体（５ｃ）を透過光でＸ１方向、Ｘ２方向、Ｘ３方向、Ｘ４方向に傾けた場合の図である。
【図１９】潜像画像（２ｃ１）、潜像画像（２ｃ２）、潜像画像（２ｃ３）、潜像画像（２ｃ４）、潜像画像（２ｃ５）の潜像画像を示す図である。
【図２０】潜像画像（２ｃ１）、潜像画像（２ｃ２）、潜像画像（２ｃ３）、潜像画像（２ｃ４）、潜像画像（２ｃ５）の５つの潜像画像を合成して作製した潜像画像（２ｃ）を示す図と、真偽判別可能な積層体（５ｄ）の潜像画像（２ｃ）を形成した穿孔（３ｃ）と、第１の層の基材（１ａ）の画像（２ａ）を形成した穿孔（３ａ）との配置規則と、観察方向の関連性を示す図である。
【図２１】真偽判別可能な積層体（５ｄ）を透過光でＸ１方向、Ｘ２方向、Ｘ３方向、Ｘ４方向に傾けた場合と、垂直方向から透過光で観察した場合の図である。
【図２２】第３の層の基材に形成する潜像画像（２ｃ）を形成する穿孔（３ｃ）は、第1の層の基材に設ける穿孔（２ａ）の周辺領域に規則性をもって左右対称に設ける場合の図を示す。
【図２３】真偽判別可能な積層体（５ｅ）を垂直方向から透過光で観察した場合の図を示す。
【図２４】潜像画像（２ｃ１）、潜像画像（２ｃ２）、潜像画像（２ｃ３）、潜像画像（２ｃ４）の４つの潜像画像を示す図である。
【図２５】潜像画像（２ｃ１）、潜像画像（２ｃ２）、潜像画像（２ｃ３）、潜像画像（２ｃ４）の４つの潜像画像を合成した潜像画像（２ｃ）を示す図である。
【図２６】第１の層の基材に形成する穿孔（３ａ）と潜像画像（２ｃ）の規則性を示す図である。
【図２７】真偽判別可能な積層体（５ｆ）は垂直方向から連続的に傾けて透過光で観察した場合の図を示す。
【図２８】潜像画像（２ｃ１）、潜像画像（２ｃ２）、潜像画像（２ｃ３）、潜像画像（２ｃ４）、潜像画像（２ｃ５）の５つの潜像画像を示す図である。
【図２９】潜像画像（２ｃ１）、潜像画像（２ｃ２）、潜像画像（２ｃ３）、潜像画像（２ｃ４）、潜像画像（２ｃ５）の５つの潜像画像を合成した潜像画像（２ｃ）を示す図である。
【図３０】第１の層の基材に形成する穿孔（３ａ）と潜像画像（２ｃ）の規則性を示す図である。
【図３１】真偽判別可能な積層体（５ｇ）は垂直方向から連続的に傾けて透過光で観察した場合の図を示す。
【図３２】図柄（Ａ）と潜像画像（Ｂ）を示す図である。
【図３３】真偽判別可能な積層体（Ｃ１）の説明図である。
【図３４】図柄（Ａ）と潜像画像（Ｂ）を示す図である。
【図３５】真偽判別可能な積層体（Ｃ２）の説明図である。
【図３６】図柄（Ａ）と潜像画像（Ｂ）を示す図である。
【図３７】真偽判別可能な積層体（Ｃ３）の説明図である。
【図３８】図柄（Ａ）と潜像画像（Ｂ）を示す図である。
【図３９】真偽判別可能な積層体（Ｃ４）の説明図である。
【図４０】図柄（Ａ）と潜像画像（Ｂ）を示す図である。
【図４１】真偽判別可能な積層体（Ｃ５）の説明図である。
【図４２】図柄（Ａ）と潜像画像（Ｂ）を示す図である。
【図４３】真偽判別可能な積層体（Ｃ６）の説明図である。
【図４４】観察角度、基材の厚さ、穿孔の径の関係を示す図である。
【図４５】第１の層の画像と第３の層の潜像画像の配置関係を概念的に簡単に整理した図である。
【図４６】本発明の画像と潜像画像を形成する穿孔が基材に対して特定の角度で斜めに形成した場合の図である。
【図４７】本発明の穿孔が、深さ方向に伴って、穿孔の直径が小さくなる形成する場合の図である。
【図４８】本発明のカモフラージュの穿孔を示す図である。
【図４９】本発明に記載される特定方向、特定距離についての説明図である。
【符号の説明】
１ａ  第１の層の基材
１ｂ  第２の層の基材
１ｃ  第３の層の基材
２ａ  画像
２ｃ、２ｃ１、２ｃ２、２ｃ３、２ｃ４、２ｃ５  潜像画像
３ａ、３ａ１、３ａ２、３ｃ、３ｃ１、３ｃ２、Ｃ’、Ｃ’’  穿孔
４  接着層
５ａ、５ｂ、５ｃ、５ｄ、５ｅ、５ｆ、５ｇ  真偽判別可能な積層体
Ａ  図柄
Ｂ、Ｂ１、Ｂ２、Ｂ３、Ｂ４、Ｂ５  潜像図柄
Ｃ１、Ｃ２、Ｃ３、Ｃ４、Ｃ５、Ｃ６  真偽判別可能な積層体
Ｓ  カモフラージュ穿孔
Ｂ’  一方の図柄
Ｂ’’  他方の図柄
【図１】
0003649287.tif 000002
【図２】
0003649287.tif 000003
【図３】
0003649287.tif 000004
【図４】
0003649287.tif 000005
【図５】
0003649287.tif 000006
【図６】
0003649287.tif 000007
【図７】
0003649287.tif 000008
【図８】
0003649287.tif 000009
【図９】
0003649287.tif 000010
【図１０】
0003649287.tif 000011
【図１１】
0003649287.tif 000012
【図１２】
0003649287.tif 000013
【図１３】
0003649287.tif 000014
【図１４】
0003649287.tif 000015
【図１５】
0003649287.tif 000016
【図１６】
0003649287.tif 000017
【図１７】
0003649287.tif 000018
【図１８】
0003649287.tif 000019
【図１９】
0003649287.tif 000020
【図２０】
0003649287.tif 000021
【図２１】
0003649287.tif 000022
【図２２】
0003649287.tif 000023
【図２３】
0003649287.tif 000024
【図２４】
0003649287.tif 000025
【図２５】
0003649287.tif 000026
【図２６】
0003649287.tif 000027
【図２７】
0003649287.tif 000028
【図２８】
0003649287.tif 000029
【図２９】
0003649287.tif 000030
【図３０】
0003649287.tif 000031
【図３１】
0003649287.tif 000032
【図３２】
0003649287.tif 000033
【図３３】
0003649287.tif 000034
【図３４】
0003649287.tif 000035
【図３５】
0003649287.tif 000036
【図３６】
0003649287.tif 000037
【図３７】
0003649287.tif 000038
【図３８】
0003649287.tif 000039
【図３９】
0003649287.tif 000040
【図４０】
0003649287.tif 000041
【図４１】
0003649287.tif 000042
【図４２】
0003649287.tif 000043
【図４３】
0003649287.tif 000044
【図４４】
0003649287.tif 000045
【図４５】
0003649287.tif 000046
【図４６】
0003649287.tif 000047
【図４７】
0003649287.tif 000048
【図４８】
0003649287.tif 000049
【図４９】
0003649287.tif 000050